(57)【要約】      （修正有）【課題】片手でズボンを着用する際、片手で楽に着用出来る様に障害者、健常者が共に出来るズボン用ベルトを提供する。【解決手段】筒形バックルＡと拡縮ベルトＢと接続ベルトＣで構成される。拡縮ベルトの先端の平面ファスナーメス５と接続ベルトの平面ファスナーオス８の中間にベルト案内を挟み込んで固定する。次にズボンの拡縮はベルト抜け防止７側を操作する。【選択図】図１
0003134581.tif 000002
【実用新案登録請求の範囲】
【請求項１】
筒状の筒形バクル（Ａ）の両側に丸軸Ａ（１）丸軸Ｂ（２）を設けて、丸軸Ａには拡縮ベルト（Ｂ）を丸軸Ａを中心に反転し、丸軸Ｂには拡縮ベルトと接続する接続ベルト（Ｃ）を固定して構成したズボン用ベルト。
【請求項２】
筒形バックルの丸軸Ａにロール（３）を設けた請求項１のズボン用ベルト。
【考案の詳細な説明】
【発明の詳細な説明】
【技術分野】
【０００１】  本考案は、片手でも楽にズボンを着用出来る様に、それに対応したズボン用ベルトに関するものである。
【背景技術】
【０００２】  従来からあるベルトは右手と左手でズボンを内側中心に向けて締めつけバックルで固定する方法がとられている。これらは左右の両手を使用することで出来る方法で片手では出来なっかった。
両手で使用するが片手で使用出来る可能性を持ったベルトが特公開第１１−２２９２２１号がある。
【考案が解決しようとする課題】
【０００３】  上記特許公開のものは、厚さ３ｍｍ位の５０ｍｍ四方の板の左右にベルトが通る程度の長穴を設けてその長穴の一方にベルトを通し反転させてマジックテープで固定もう一方の長穴にベルトを通して、ベルトを反転させて拡縮側のベルトとしてマジックテープで固定した方法がある。しかし以下の問題点がある。
１、ベルトを引張るのに力を要す。２、ベルトがキズになり易い。
３、ベルトが硬い材質だと反転部の形状が外側に膨らみ外観が悪くなる。
以上の外に、片手でズボンに装着する必要がある。
【課題を解決する為の手段】
【０００４】  本考案は従来の問題点を解消して、片手で楽に出来る構造にする。
１、ベルトを引張るのに力を要す。２、ベルトがキズになり易い。これらの原因はベルトが反転する接触する中心の摩擦が大きいことである。ですから接触面を丸みを大きくしたりすべり易くして摩擦を小さくする上で丸軸とする。更にロールを使用することで摩擦が更に小さくなることで解消される。
３、ベルトが硬い材質だと反転部の形状が外側に膨らみ外観が悪くなる。これには反転部分のベルトのふくらみを両側より内側に押えることである。そのた  ためには筒状の箱のバックルとして箱の内面で押える方法とする。
以上のことをふまえてバックルの構造とすると一本のベルトを反転軸に掛けずらくなる。
そこで反転軸側のベルトは抜けないように抜け防止を付ける。その反対側のベルトバックルに設けたベルトとマジックテープで接合して一体のズボン用ベルトを構成する。
そのさいベルトがずれないよう、ベルト案内の一部に挟んで固定する。
【考案を実施するための最良の形態】
【０００５】  筒形バックル（Ａ）は筒形として両端に垂直に丸軸Ａ（１）と丸軸Ｂ（２）を設ける。丸軸Ａ（１）には更にロール（３）を設ける。拡張ベルト（Ｂ）は丸軸Ａ（１）を中心に反転して取り付けけ、そのベルトの先端の内側にマジックテープオス（６）と外側にベルト抜け防止（７）をとりつける。拡張ベルト（Ｂ）の固定位置にマジックテープメス（４）とその先端の外側にマジックテープメス（５）と先端ガイド（９）をとり付ける。マジックテープメス（５）と先端ガイド（９）はベルト案内（Ｅ）にスムーズに通し接続ベルト（Ｃ）と接続するためである。
接続ベルト（Ｃ）は一方を筒形バックル（Ａ）の丸軸Ｂ（２）に反転し先端を固定する。他の一方の内側にマジックテープオス（８）を設ける。この接続ベルト（Ｂ）の役目は拡縮ベルト（Ｃ）と接続して一体にするのである。【０００６】片手でのズボンの着用のさいは、ズボン案内（Ｅ）に拡縮ベルト（Ｂ）をズボンをはく前に設置して置く。その際ベルト案内（Ｅ）を拡縮ベルト（Ｂ）のマジックテープメス（５）と接続ベルト（Ｃ）のマジックテープオス（８）の中間に挟んで固定しバックルの位置を決めておく。そしてズボンをはいた後に拡縮ベルト（Ｂ）のベルト抜け防止側を引き張りマジックテープで固定する。
用便の際ズボンをゆるめる際もベルトは抜け落ちることなく目的を達成出来る。
【考案の効果】
【０００７】両手を使用出来ない片手のみの障害者にとって従来のベルトは片手では困難が多かった。それを片手でベルトを引張るのみで、ズボンを装着出来る。
また小物入れを片手で取り付け出来る。
この考案は健常者や障害者など共に出来るユニバーサルデザインのズボン用ベルトである。
【図面の簡単な説明】
【図１】  平面断面図
【図２】  拡縮ベルトのズボンに固定図
【符号の説明】
Ａ  筒形バックル
Ｂ  拡縮ベルト
Ｃ  接続ベルト
Ｄ  ズボン
Ｅ  ベルト案内
Ｆ  小物入れ
１  丸軸Ａ
２  丸軸Ｂ
３  ガイドロール
４  マジックテープメス
５  マジックテープメス
６  マジックテープオス
７  ベルト抜け防止
８  マジックテープオス
９  先端ガイド
【図１】
0003134581.tif 000003
【図２】
0003134581.tif 000004
【手続補正書】
【提出日】平成19年4月23日(2007.4.23)
【手続補正１】
【補正対象書類名】明細書
【補正対象項目名】全文
【補正方法】変更
【補正の内容】
【考案の詳細な説明】
【技術分野】
【技術分野】
【０００１】  本考案は、片手でも楽にズボンを着用出来る様に、それに対応した  ズボン用ベルトに関するものである。
【背景技術】
【０００２】  従来からあるベルトは右手と左手でズボンを内側中心に向けて締めつけ  バックルで固定する方法がとられている。これらは左右の両手を使用することで出来る方法で片手では出来なっかった。
両手で使用するが片手で使用出来る可能性を持ったベルトが特公開第１１−２２９２２１号がある。
【考案が解決しようとする課題】
【０００３】  上記特許公開のものは、厚さ３ｍｍ位の５０ｍｍ四方の板の左右にベルトが  通る程度の長穴を設けてその長穴の一方にベルトを通し反転させて  面ファスナーで固定もう一方の長穴にベルトを通して、ベルトを反転させて拡縮側のベルト  として面ファスナーで固定した方法がある。しかし以下の問題点がある。
１、ベルトを引張るのに力を要す。２、ベルトがキズになり易い。
３、ベルトが硬い材質だと反転部の形状が外側に膨らみ外観が悪くなる。
以上の外に、片手でズボンに装着する必要がある。
【課題を解決する為の手段】
【０００４】  本考案は従来の問題点を解消して、片手で楽に出来る構造にする。
１、ベルトを引張るのに力を要す。２、ベルトがキズになり易い。これらの原因はベルトが反転する接触する中心の摩擦が大きいことである。ですから接触面を丸みを大きくしたりすべり易くして摩擦を小さくする上で丸軸とする。更にロールを使用することで摩擦が更に小さくなることで解消される。
３、ベルトが硬い材質だと反転部の形状が外側に膨らみ外観が悪くなる。これには反転部分のベルトのふくらみを両側より内側に押えることである。そのた  ためには筒状の箱のバックルとして箱の内面で押える方法とする。
以上のことをふまえてバックルの構造とすると一本のベルトを反転軸に掛けずらくなる。
そこで反転軸側のベルトは抜けないように抜け防止を付ける。その反対側のベルトバックルに設けたベルトと面ファスナー  で接合して一体のズボン用ベルトを構成する。
そのさいベルトがずれないよう、ベルト案内の一部に挟んで固定する。
【考案を実施するための最良の形態】
【０００５】  筒形バックル（Ａ）は筒形として両端に垂直に丸軸Ａ（１）と丸軸Ｂ（２）を設ける。丸軸Ａ（１）には更にロール（３）を設ける。拡張ベルト（Ｂ）は丸軸Ａ（１）を中心に反転して取り付け、そのベルトの先端の内側に面ファスナーオス（６）と外側にベルト抜け防止（７）をとりつける。拡張ベルト（Ｂ）の固定位置に面ファスナーメス（４）とその先端の外側に面ファスナーメス（５）と先端ガイド（９）をとり付ける。面ファスナーメス（５）と先端ガイド（９）はベルト案内（Ｅ）にスムーズに通し接続ベルト（Ｃ）と接続するためである。
接続ベルト（Ｃ）は一方を筒形バックル（Ａ）の丸軸Ｂ（２）に反転し先端を固定する。他の一方の内側に面ファスナー  オス（８）を設ける。この接続ベルト（Ｂ）の役目は拡縮ベルト（Ｃ）と接続して一体にするのである。【０００６】片手でのズボンの着用のさいは、ズボン案内（Ｅ）に拡縮ベルト（Ｂ）をズボンをはく前に設置して置く。その際ベルト案内（Ｅ）を拡縮ベルト（Ｂ）の面ファスナーメス（５）と接続ベルト（Ｃ）の面ファスナーオス（８）の中間に挟んで固定しバックルの位置を決めておく。そしてズボンをはいた後に拡縮ベルト（Ｂ）のベルト抜け防止側を引き張り面ファスナーで固定する。
用便の際ズボンをゆるめる際もベルトは抜け落ちることなく目的を達成出来る。
【考案の効果】
【０００７】両手を使用出来ない片手のみの障害者にとって従来のベルトは片手では困難が多かった。それを片手でベルトを引張るのみで、ズボンを装着出来る。
また小物入れを片手で取り付け出来る。
この考案は健常者や障害者など共に出来るユニバーサルデザインのズボン用ベルトである。
【図面の簡単な説明】
【図１】  平面断面図
【図２】  拡縮ベルトのズボンに固定図
【符号の説明】
Ａ  筒形バックル
Ｂ  拡縮ベルト
Ｃ  接続ベルト
Ｄ  ズボン
Ｅ  ベルト案内
Ｆ  小物入れ
１  丸軸Ａ
２  丸軸Ｂ
３  ガイドロール
４  面ファスナーメス
５  面ファスナーメス
６  面ファスナーオス
７  ベルト抜け防止
８  面ファスナーオス
９  先端ガイド